(57)【要約】【課題】設置スペースを低減できる、加温装置を提供する。【解決手段】液体を内部に貯める液体バッグ１７を加温する加温装置１は、筐体２と、ヒータ３とを備えている。筐体２は、液体バッグ１７を収容する。筐体２に収容された液体バッグ１７は、筐体２の側壁部５に沿って上方に延びるように配置されている。ヒータ３は、筐体２内を加温する。【選択図】図５
2018023606.tif 000002
【特許請求の範囲】
【請求項１】
液体を内部に貯め前記液体が流出する液体流出部を有する液体バッグを加温する、加温装置であって、
前記液体バッグを収容する筐体を備え、前記筐体は底部と前記底部から上方に延びる側壁部とを含み、前記底部には前記液体流出部が貫通する貫通孔が形成され、前記筐体に収容された前記液体バッグは前記側壁部に沿って延びるように配置され、
さらに、前記筐体内を加温するヒータを備える、加温装置。
【請求項２】
前記底部には前記貫通孔と連なる第１スリットが形成され、
前記側壁部はスリット形成部を有し、前記スリット形成部には、前記第１スリットと連なり、前記側壁部の上端まで延びる第２スリットが形成されている、請求項１に記載の加温装置。
【請求項３】
前記筐体内を往復移動して前記側壁部とともに前記液体バッグを挟む押圧板をさらに備える、請求項１または請求項２に記載の加温装置。
【請求項４】
前記ヒータは前記押圧板に設けられる、請求項３に記載の加温装置。
【請求項５】
前記ヒータは前記側壁部に設けられる、請求項３または請求項４に記載の加温装置。
【請求項６】
前記押圧板とともに前記液体バッグを挟む前記側壁部に向けて、前記押圧板を付勢する付勢部をさらに備える、請求項３〜５のいずれか１項に記載の加温装置。
【請求項７】
前記押圧板とともに前記液体バッグを挟む前記側壁部に向けて、前記押圧板を移動させるアクチュエータをさらに備える、請求項３〜５のいずれか１項に記載の加温装置。
【請求項８】
前記押圧板とともに前記液体バッグを挟む前記側壁部に対して垂直に延びるガイドレールをさらに備える、請求項３〜７のいずれか１項に記載の加温装置。
【請求項９】
前記押圧板の移動を規制する押圧板固定部をさらに備える、請求項３〜８のいずれか１項に記載の加温装置。
【請求項１０】
前記筐体内部に前記液体バッグを吊下げるフックを備える、請求項１〜９のいずれか１項に記載の加温装置。
【発明の詳細な説明】
【技術分野】
【０００１】
本発明は、加温装置に関し、特に、液体バッグを加温する加温装置に関する。
【背景技術】
【０００２】
従来、透析液バッグを内部に収容するチャンバー内において、透析液バッグ内の腹膜透析液を所定温度に加温して維持しておくための加温手段を備える装置が提案されている（たとえば、特開平９−１０８３４０号公報（特許文献１）参照）。
【先行技術文献】
【特許文献】
【０００３】
【特許文献１】特開平９−１０８３４０号公報
【発明の概要】
【発明が解決しようとする課題】
【０００４】
透析治療において、透析液または補液などの患者に供給される液体の温度が低いと、患者が不快に感じる。そのため、患者に供給される液体を患者の体温に近づける必要がある。特許文献１には、液体バッグの下面に接触するヒータープレートにより、液体バッグを加温する装置が提案されているが、液体バッグを横たえて設置しているため、加温装置の設置スペースが大きくなる。
【０００５】
本発明の目的は、設置スペースを低減できる加温装置を提供することである。
【課題を解決するための手段】
【０００６】
本発明の加温装置は、液体を内部に貯める液体バッグを加温する加温装置である。液体バッグは、液体が流出する液体流出部を有している。加温装置は、筐体と、ヒータとを備えている。筐体は、液体バッグを収容する。筐体は、底部と、底部から上方に延びる側壁部とを含んでいる。底部には液体流出部が貫通する貫通孔が形成されている。筐体に収容された液体バッグは、筐体の側壁部に沿って延びるように配置されている。ヒータは、筐体内を加温する。
【０００７】
上記の加温装置によれば、液体バッグを筐体の側壁部に沿って延びるように配置した状態で加温することができるため、加温装置の設置スペースを低減することができる。
【０００８】
上記の加温装置において、筐体の底部には貫通孔と連なる第１スリットが形成されている。側壁部は、スリット形成部を有している。スリット形成部には、第１スリットと連なり、側壁部の上端まで延びる第２スリットが形成されている。これにより、筐体内に液体バッグを容易に収納することができる。
【０００９】
上記の加温装置は、筐体内を往復移動する押圧板をさらに備えている。押圧板は、側壁部とともに液体バッグを挟む。これにより、液体バッグが側壁部と押圧板との間に挟まれ、ヒータと液体バッグとの接触面積が大きくなる。したがって、液体バッグを効率良く加温することができる。
【００１０】
上記の加温装置において、ヒータは押圧板に設けられている。これにより、押圧板に設けられたヒータで、液体バッグを加温することができる。
【００１１】
上記の加温装置において、ヒータは側壁部に設けられている。これにより、側壁部に設けられたヒータで、液体バッグを加温することができる。
【００１２】
上記の加温装置は、付勢部をさらに備えている。付勢部は、押圧板とともに液体バッグを挟む側壁部に向けて、押圧板を付勢する。このようにすれば、液体バッグを押圧板と側壁部との間に確実に挟んで、液体バッグを効率良く加温することができる。
【００１３】
上記の加温装置は、押圧板とともに液体バッグを挟む側壁部に向けて押圧板を移動させる、アクチュエータをさらに備えている。このようにすれば、液体バッグを押圧板と側壁部との間に確実に挟んで、効率良く加温することができる。
【００１４】
上記の加温装置は、押圧板とともに液体バッグを挟む側壁部に対して垂直に延びるガイドレールをさらに備えている。これにより、ガイドレールに沿って押圧板を移動させることができる。
【００１５】
上記の加温装置は、押圧板の移動を規制する押圧板固定部をさらに備えている。液体バッグを筐体に収容する際、押圧板固定部で押圧板の移動を規制することにより、液体バッグの収容が容易になる。
【００１６】
上記の加温装置は、筐体内部に液体バッグを吊下げるフックをさらに備えている。これにより、液体バッグは、フックにより支持され、側壁部に沿って延びる形状を維持できる。
【発明の効果】
【００１７】
本発明によると、加温装置の設置スペースを低減することができる。
【図面の簡単な説明】
【００１８】
【図１】血液浄化装置の構成を示す回路図である。
【図２】加温装置の概略構成を示す斜視図である。
【図３】図２に示す加温装置の平面図である。
【図４】図３に示すＩＶ−ＩＶ線に沿う加温装置の断面図である。
【図５】輸液管が繋がれた液体バッグを、筐体内に収容する斜視図である。
【図６】液体バッグを収容した加温装置を示す断面図である。
【図７】ガイドレールを備えない加温装置の筐体内に、液体バッグを収容した状態を示す参考断面図である。
【図８】ガイドレールに沿って移動する押圧板を示す斜視図である。
【図９】実施の形態２の加温装置の概略構成を示す断面図である。
【発明を実施するための形態】
【００１９】
以下、本発明の実施の形態について、図に基づいて説明する。なお、以下の図面において、同一または相当する部分には同一の参照番号を付し、その説明は繰り返さない。
【００２０】
（実施の形態１）
まず、本発明の思想を適用可能な加温装置を備えている血液浄化装置について説明する。
【００２１】
図１は、血液浄化装置の構成を示す回路図である。図１に示すように、血液浄化装置１００は、血液浄化器１２０と、排液管路１３０と、透析液管路１４２と、補液管路１５２と、第１ポンプ１６０と、第２ポンプ１６１と、第３ポンプ１６２と、第１バルブ１７９と、第１退避管１３４と、秤１３９とを備える。
【００２２】
血液浄化器１２０は、たとえば中空糸膜からなる半透膜を内部に含んでいる。血液浄化器１２０は、血液入口１２１および血液出口１２２を有している。血液入口１２１には、上流側血液管路１１０が接続されている。血液出口１２２には、下流側血液管路１１６が接続されている。
【００２３】
上流側血液管路１１０には、血液を送り出す血液ポンプ１１１が設けられている。上流側血液管路１１０の途中には、動脈側ドリップチャンバ１１２が設けられている。動脈側ドリップチャンバ１１２には、血液の圧力を測定する上流側圧力測定装置１１３が設けられている。患者の動脈から採取された血液は、上流側血液管路１１０を流れる途中で動脈側ドリップチャンバ１１２を通過する際に圧力を測定された後、血液入口１２１から血液浄化器１２０内に流入する。
【００２４】
下流側血液管路１１６の途中には、静脈側ドリップチャンバ１１４が設けられている。静脈側ドリップチャンバ１１４には、血液の圧力を測定する下流側圧力測定装置１１５が設けられている。血液浄化器１２０によって浄化された血液は、下流側血液管路１１６を流れる途中で静脈側ドリップチャンバ１１４を通過する際に圧力を測定された後、患者の静脈に返される。このように、血液浄化器１２０は、血液回路に組み込まれている。静脈側ドリップチャンバ１１４は、補液管路１５２と接続されている。なお、補液管路１５２が、静脈側ドリップチャンバ１１４の代わりに動脈側ドリップチャンバ１１２に接続されていてもよい。
【００２５】
血液浄化器１２０は、透析液入口１２４および排液出口１２３をさらに有している。透析液入口１２４には、透析液管路１４２が接続されている。排液出口１２３には、排液管路１３０が接続されている。
【００２６】
透析液管路１４２の上流端は、透析液１４１を供給する透析液供給部１４０と接続されている。透析液管路１４２には、透析液１４１を設定流量Ｑｄで送り出す第１ポンプ１６０が接続されている。
【００２７】
第１ポンプ１６０は、ローラ式ポンプであり、モータに接続されたロータと、ロータに取り付けられた３個のローラとを備える。透析液管路１４２を構成するチューブは、第１ポンプ１６０のロータに巻き掛けられている。ロータが回転することにより、ローラがチューブを圧閉しつつロータの回転につれてチューブ内の透析液１４１を送り出させる。透析液管路１４２を流れた透析液１４１は、血液浄化器１２０内に供給される。このように、透析液管路１４２は、血液回路に組み込まれている。
【００２８】
補液管路１５２の上流端は、補液１５１を供給する補液供給部１５０と接続されている。補液管路１５２には、補液１５１を設定流量Ｑｓで送り出す第２ポンプ１６１が接続されている。
【００２９】
第２ポンプ１６１は、ローラ式ポンプであり、モータに接続されたロータと、ロータに取り付けられた３個のローラとを備える。補液管路１５２を構成するチューブは、第２ポンプ１６１のロータに巻き掛けられている。ロータが回転することにより、ローラがチューブを圧閉しつつロータの回転につれてチューブ内の補液１５１を送り出させる。
【００３０】
補液管路１５２を流れた補液１５１は、静脈側ドリップチャンバ１１４内に供給される。すなわち、補液管路１５２は、血液浄化器１２０より血液回路の下流側に補液１５１を供給する。補液管路１５２が動脈側ドリップチャンバ１１２に接続されている場合には、補液管路１５２は、血液浄化器１２０より血液回路の上流側に補液１５１を供給する。このように、補液管路１５２は、血液回路に組み込まれている。
【００３１】
排液管路１３０は、血液浄化器１２０から排出された排液１３８を３つに分流して流す、第１分岐路１３１、第２分岐路１３２および第３分岐路１３３を含む。このように、排液管路１３０は、血液回路に組み込まれている。
【００３２】
第１分岐路１３１には、排液１３８を設定流量Ｑｄで送り出す第１ポンプ１６０が接続されている。すなわち、第１ポンプ１６０は、第１分岐路１３１を流れる排液１３８と透析液管路１４２を流れる透析液１４１とを互いに等しい流量で送り出す。
【００３３】
第１分岐路１３１を構成するチューブは、第１ポンプ１６０のロータに巻き掛けられている。ロータが回転することにより、ローラがチューブを圧閉しつつロータの回転につれてチューブ内の排液１３８を送り出させる。第１分岐路１３１を流れた排液１３８は、排液容器１３７内に排出される。
【００３４】
第２分岐路１３２には、排液１３８を設定流量Ｑｓで送り出す第２ポンプ１６１が接続されている。すなわち、第２ポンプ１６１は、第２分岐路１３２を流れる排液１３８と補液管路１５２を流れる補液１５１とを互いに等しい流量で送り出す。
【００３５】
第２分岐路１３２を構成するチューブは、第２ポンプ１６１のロータに巻き掛けられている。ロータが回転することにより、ローラがチューブを圧閉しつつロータの回転につれてチューブ内の排液１３８を送り出させる。第２分岐路１３２を流れた排液１３８は、排液容器１３７内に排出される。
【００３６】
第３分岐路１３３には、第３分岐路１３３を流れる排液１３８を設定流量Ｑｕで送り出す第３ポンプ１６２が接続されている。第３ポンプ１６２は、ローラ式ポンプである。第３分岐路１３３において第３ポンプ１６２より下流側に、第３分岐路１３３を開閉する第１バルブ１７９が設けられている。第３ポンプ１６２と第１バルブ１７９との間において第３分岐路１３３に、排液１３８が一時的に流れる第１退避管１３４が接続されている。
【００３７】
血液浄化装置１００は、排液１３８を一時的に貯留する第１貯液部１３５をさらに備える。第１貯液部１３５は、第１退避管１３４に設けられている。第１貯液部１３５は、容器で構成されていてもよいし、第１退避管１３４が部分的に拡径していることにより構成されていてもよい。
【００３８】
第１貯液部１３５の上部には、第１エア供給配管１３６が接続されている。第１エア供給配管１３６は、第１エアフィルタ１７５を通じて透析装置１７０内のエア配管１７２と接続されている。エア配管１７２の末端は、開放されている。エア配管１７２の末端側に、エア配管１７２を開閉する第１エアバルブ１７３が設けられている。エア配管１７２において第１エアフィルタ１７５と第１エアバルブ１７３との間に、エア配管１７２内の圧力を測定する圧力計１７４およびエアポンプ１７１が接続されている。
【００３９】
秤１３９は、排液管路１３０から排出された排液１３８の重量を測定する。すなわち、排液容器１３７内に排出され排液１３８の重量を測定する。
【００４０】
本発明の加温装置は、補液供給部１５０に適用される。
図２は、加温装置１の概略構成を示す斜視図である。図３は、図２に示す加温装置１の平面図である。図４は、図３に示すＩＶ−ＩＶ線に沿う加温装置１の断面図である。図２〜図４に示すように、本発明の一実施の形態を示す加温装置１は、筐体２とヒータ３とを備えている。
【００４１】
図２に示すように、筐体２は、中空の略矩形箱状の形状を有している。筐体２は、底部４と、底部４から上方に延びる側壁部５とを含んでいる。側壁部５は、底部４に対して垂直に配置されている。底部４は、筐体２の底面を構成している。底部４は、矩形状の平板状の外形を有している。底部４には、底部４を厚み方向に貫通する貫通孔６が形成されている。貫通孔６は、筐体２の内部空間と外部とを連通している。さらに底部４には、貫通孔６と連なる第１スリット７が形成されている。第１スリット７は、貫通孔６から、矩形状の底部４の長辺と平行に、矩形状の底部４の短辺の一方まで延びている。第１スリット７の幅は、貫通孔６の直径よりも小さい。第１スリット７の幅は、貫通孔６の半径以下であってもよい。
【００４２】
側壁部５は、左側壁部５ａ、前側壁部５ｂ、右側壁部５ｃ、および後側壁部５ｄを有している。左側壁部５ａ、前側壁部５ｂ、右側壁部５ｃ、および後側壁部５ｄは、それぞれ、矩形状の平板状の外形を有している。左側壁部５ａと、右側壁部５ｃとは、矩形状の底部４の長辺に垂直に連結されている。左側壁部５ａと、右側壁部５ｃとは、間隔を空けて、平行に配置されている。前側壁部５ｂと、後側壁部５ｄとは、矩形状の底部４の短辺に垂直に連結されている。前側壁部５ｂと、後側壁部５ｄとは、間隔を空けて、平行に配置されている。
【００４３】
矩形状の前側壁部５ｂの長辺の一方に、左側壁部５ａが連結されている。矩形状の前側壁部５ｂの長辺の他方に、右側壁部５ｃが連結されている。矩形状の後側壁部５ｄの長辺の一方に、左側壁部５ａが連結されている。矩形状の後側壁部５ｄの長辺の他方に、右側壁部５ｃが連結されている。
【００４４】
左側壁部５ａ、前側壁部５ｂ、右側壁部５ｃ、および後側壁部５ｄは、矩形筒状に形成されている。側壁部５は、矩形筒の上端をなす側壁部上端９と、矩形筒の下端をなす側壁部下端１０とを有している。側壁部下端１０に底部４が連結されて、中空の筐体２が形成されている。筐体２の内部空間は、側壁部５と底部４とによって取り囲まれている。
【００４５】
前側壁部５ｂには、第２スリット８が形成されている。第２スリット８は、縦長の矩形状の前側壁部５ｂの長辺と平行に延びている。第２スリット８は、前側壁部５ｂにおける側壁部下端１０から側壁部上端９までに亘って形成されている。第２スリット８は、側壁部下端１０において、第１スリット７と連なっている。第１スリット７は、貫通孔６から、前側壁部５ｂまで延びている。
【００４６】
側壁部５のうち前側壁部５ｂは、第２スリット８が形成されているスリット形成部を構成している。側壁部５のうち左側壁部５ａ、右側壁部５ｃ、および後側壁部５ｄには、スリットが形成されていない。左側壁部５ａ、右側壁部５ｃ、および後側壁部５ｄは、スリット形成部を構成していない。
【００４７】
筐体２の上部は開口しており、筐体２の内部は、外部に開放されている。筐体２は、図２に示すように、上方からみて内部が見えるように構成されている。
【００４８】
ヒータ３は、矩形状の平板状の形状を有し、筐体２内に配置されている。ヒータ３は、左側壁部５ａの表面全体に取付けられている。ヒータ３は筐体２内を加温する。ヒータ３は、たとえば電気ヒータである。
【００４９】
加温装置１は、さらに押圧板１１、ガイドレール１２、付勢部１３、押圧板固定部１４ａ、およびフック１５を備えている。
【００５０】
押圧板１１は、矩形状の平板状の形状を有しており、右側壁部５ｃと平行に筐体２内に配置されている。押圧板１１は、押圧板表面１１ａと押圧板裏面１１ｂとを有している。押圧板１１は、筐体２内を往復移動する。矩形状の底部４の長辺方向における押圧板１１の両端部は、それぞれ、前側壁部５ｂと後側壁部５ｄとに接触しないように構成されていることが望ましい。押圧板１１が、前側壁部５ｂおよび後側壁部５ｄに接触すると、押圧板１１が、移動しにくくなるためである。
【００５１】
ガイドレール１２は、筐体２内に２本、配置されている。ガイドレール１２は、矩形状の底部４の短辺方向に延びる、矩形棒状の形状を有している。ガイドレール１２は、後側壁部５ｄに、一定間隔で取り付けられている。ガイドレール１２は、左側壁部５ａに対して垂直に延びている。ガイドレール１２は、矩形状の底部４の短辺と平行に延びている。ガイドレール１２の長手方向の端部は、ヒータ３の表面と、右側壁部５ｃの表面とに接触している。これにより、押圧板１１が、ガイドレール１２の端部まで移動しても、ガイドレール１２から外れない。なお、ガイドレール１２の途中にストッパを設けて、押圧板１１の移動を規制する構造でもよい。
【００５２】
付勢部１３は、押圧板１１と右側壁部５ｃとの間に取り付けられている。付勢部１３は、たとえばバネである。付勢部１３は、たとえばコイルバネである。付勢部１３は、押圧板裏面１１ｂの上部の２か所と、下部の２か所とに、一定間隔で取り付けられている。付勢部１３は、右側壁部５ｃから離れ左側壁部５ａに近づく方向へ、押圧板１１を付勢する。
【００５３】
図３に示すように、２つの押圧板固定部１４ａが、矩形状の底部４の長辺方向に並んで配置されている。押圧板固定部１４ａは、図３の矩形状の底部４の短辺方向において、底部４の中心に対して右側壁部５ｃ寄りに配置されている。図３中の一点鎖線は、矩形状の底部４の短辺方向を二分する中心線Ｃを示す。図４に示すように、押圧板固定部１４ａは、底部４から上方に突出している。底部４には、押圧板固定部１４ａを収容可能な逃げ穴１４ｂが形成されている。押圧板固定部１４ａは、押圧板表面１１ａの下部と接触して、左側壁部５ａに近づく方向への押圧板１１の移動を妨げている。
【００５４】
フック１５は、直線の一端が湾曲したＪ字型の形状を有している。フック１５は、筐体２内に取り付けられている。フック１５は、ヒータ３の上部に取り付けられている。
【００５５】
図５は、輸液管１６が繋がれた液体バッグ１７を、筐体２内に収容する斜視図である。輸液管１６は、図１の補液管路１５２の一部を構成している。液体バッグ１７の内部には、補液が貯められている。補液は、液体バッグ１７の内部に貯められた液体の一例である。液体バッグ１７上部に、フック穴１９が形成されている。液体バッグ１７は、液体が流出する液体流出部１８を有している。液体バッグ１７の下部に、液体流出部１８が設けられている。液体流出部１８には、輸液管１６が繋がれている。液体バッグ１７に繋がれた輸液管１６は、前側壁部５ｂに形成される第２スリット８、底部４に形成される第１スリット７および貫通孔６を、順に通過できる。
【００５６】
図６は、液体バッグ１７を収容した加温装置１を示す断面図である。図６に示す筐体２の断面は、図３に示すＶＩ−ＶＩ線に沿う断面である。筐体２内に収容された液体バッグ１７は、左側壁部５ａに沿って延びるように配置されている。液体流出部１８は、貫通孔６を貫通して、筐体２の内部空間と外部に亘って配置されている。フック穴１９は、フック１５に掛けられている。液体バッグ１７は、フック１５から吊下げられている。これにより、液体バッグ１７は、フック１５により支持されている。
【００５７】
押圧板固定部１４ａは、逃げ穴１４ｂ内に収容されている。付勢部１３により付勢された押圧板１１は、押圧板固定部１４ａにより移動を妨げられることなく、左側壁部５ａに近づく方向へ移動可能となる。
【００５８】
押圧板１１は、ガイドレール１２に沿って、左側壁部５ａに近づく方向に移動している。押圧板１１は、液体バッグ１７をヒータ３に押し付け、ヒータ３とともに液体バッグ１７を挟んでいる。液体バッグ１７を押し付けられたヒータ３は、液体バッグ１７の内部の補液を加温する。
【００５９】
温度センサ２０が、ヒータ３の下部に取り付けられている。温度センサ２０は、液体バッグ１７の温度を検出する。温度センサ２０の検出結果に基づいてヒータの非常停止機能等を設定してもよい。
【００６０】
実施の形態の加温装置１の構成および作用効果についてまとめて説明すると、以下の通りである。なお、実施の形態の構成に参照番号を付すが、これは一例である。
【００６１】
本実施の形態の加温装置１は、図６に示すように、液体バッグ１７を加温する装置であって、筐体２と、ヒータ３とを備えている。筐体２は、底部４と、底部４から上方に延びる側壁部５とを含んでいる。底部４には液体流出部１８が貫通する貫通孔６が形成されている。液体バッグ１７は、左側壁部５ａに沿って延びるように、筐体２に収容される。ヒータ３は、筐体２内を加温する。これにより、液体バッグ１７を筐体２の左側壁部５ａに沿って延びるように配置した状態で加温することができるため、液体バッグを横たえて設置する従来の加温装置と比較して、加温装置の設置スペースを低減することができる。
【００６２】
図５に示すように、筐体２の底部４には、貫通孔６と連なる第１スリット７が形成されている。側壁部５は前側壁部５ｂを有している。前側壁部５ｂには、第１スリット７と連なり、側壁部下端１０から側壁部上端９まで延びる第２スリット８が形成されている。図５に示すように、液体バッグ１７の液体流出部１８には、輸液管１６が繋がれている。液体バッグ１７に繋がれた輸液管１６は、前側壁部５ｂに形成される第２スリット８、底部４に形成される第１スリット７および貫通孔６を、順に通過できる。これによって、輸液管１６を液体バッグ１７に繋いだ状態で、液体バッグ１７を筐体２内に容易に収容することができ、現場での作業工数が低減される。
【００６３】
図６に示すように、加温装置１は、押圧板１１をさらに備えている。押圧板１１は、筐体２内を往復移動する。押圧板１１は、左側壁部５ａとともに液体バッグ１７を挟む。液体バッグ１７が左側壁部５ａと押圧板１１との間に挟まれ、ヒータ３と液体バッグ１７との接触面積が大きくなる。これによって、液体バッグ１７内の補液を効率良く加温することができる。ヒータ３に替えて、またはこれに加えて、押圧板１１をヒータとして構成してもよい。ヒータ３を左側壁部５ａに設けるとともに、押圧板１１をヒータとして構成することにより、さらに液体バッグ１７内の補液を効率良く加温できる。
【００６４】
加温装置１は、付勢部１３をさらに備えている。付勢部１３は、押圧板１１とともに液体バッグ１７を挟む左側壁部５ａに向けて、押圧板１１を付勢している。これにより、液体バッグ１７を押圧板１１と左側壁部５ａとの間に挟み、液体バッグ１７をヒータ３に確実に接触させて、効率良く加温することができる。
【００６５】
図２に示すように、加温装置１は、左側壁部５ａに対して垂直に延びるガイドレール１２を、さらに備えている。ガイドレール１２は、後側壁部５ｄに、２つ並んで取り付けられている。
【００６６】
図７は、ガイドレール１２を備えない加温装置１の筐体２内に、液体バッグ１７を収容した状態を示す参考断面図である。液体バッグ１７の補液は、図７に示すように、重力作用により、バッグ内を下方へ移動して、液体バッグ１７の下部が、膨らんだ形状になる。左側壁部５ａに近づく方向に移動しようとする押圧板１１の下部が、液体バッグ１７内の補液によって移動を妨げられ、押圧板１１は、底部４に対して斜めに傾く。これにより、ヒータ３から液体バッグ１７内の補液への熱伝達量が小さくなるため、加温効率が低下する。
【００６７】
一方、ガイドレール１２を加温装置１に備えることで、押圧板１１は、ガイドレール１２に沿って、平行に移動することができる。図８は、ガイドレール１２に沿って移動する押圧板１１を示す斜視図である。ガイドレール１２を加温装置１に備えることによって、押圧板１１は、液体バッグ１７内の補液によって移動を妨げられて底部４に対して斜めに傾くことはない。押圧板１１は、左側壁部５ａと押圧板１１とが平行な状態で、左側壁部５ａとともに液体バッグ１７を挟むことができる。これによって、ヒータ３から液体バッグ１７内の補液への熱伝達量が大きくなるため、加温効率を増加することができる。
【００６８】
図４に示すように、加温装置１は、押圧板固定部１４ａをさらに備えている。押圧板固定部１４ａは、押圧板１１の押圧板表面１１ａの下部と接触して、左側壁部５ａに近づく方向への押圧板１１の移動を妨げている。これにより、左側壁部５ａと押圧板１１との間に、液体バッグ１７を収容するための空間が確保される。したがって、液体バッグ１７を筐体２に容易に収容することができる。図６に示すように、筐体２に液体バッグ１７が収容された後、押圧板固定部１４ａは、逃げ穴１４ｂに収容される。これにより、付勢部１３に付勢された押圧板１１は、押圧板固定部１４ａにより移動を妨げられることなく、左側壁部５ａに近づく方向へ移動可能となる。なお、押圧板固定部１４ａは、液体バッグ１７が筐体２内に収容されたことをセンサにより検出して、センサの検出結果に基づいて、逃げ穴１４ｂに収容される構造でもよい。
【００６９】
加温装置１は、液体バッグ１７を吊下げるフック１５を、筐体２内にさらに備えている。液体バッグ１７には、フック穴１９が形成されている。フック穴１９は、フック１５に掛けられている。液体バッグ１７は、フック１５から吊下げられている。これにより、液体バッグ１７は、フック１５により支持される。したがって、液体バッグ１７が左側壁部５ａと押圧板１１との間に挟まれても、液体バッグ１７が左側壁部５ａに沿って延びる形状を維持できる。
【００７０】
（実施の形態２）
図９は、実施の形態２の加温装置１の概略構成を示す断面図である。実施の形態１の加温装置１では、付勢部１３が、押圧板１１と右側壁部５ｃとの間に取り付けられていたが、この構成に限られるものではない。実施の形態２の加温装置１では、付勢部１３に替えて、押圧板１１と右側壁部５ｃとの間に、アクチュエータ２１が取り付けられている。アクチュエータ２１は、矩形状の押圧板１１の上部と下部とに、並んで配置されている。押圧板１１は、アクチュエータ２１によって、左側壁部５ａに近づく方向に移動する。押圧板１１は、液体バッグ１７を左側壁部５ａに押し付け、左側壁部５ａとともに液体バッグ１７を挟む。これにより、液体バッグ１７を押圧板１１と左側壁部５ａとの間に挟み、液体バッグ１７をヒータ３に確実に接触させて、効率良く加温することができる。
【００７１】
実施の形態２の加温装置１において、押圧板１１は、ガイドレール１２によってガイドされていなくても、アクチュエータ２１によって、平行移動することができる。また、押圧板１１の位置を任意に調整することもできる。そのため、実施の形態２の加温装置１は、押圧板固定部１４ａ、逃げ穴１４ｂ、およびガイドレール１２を備えなくてもよい。
【００７２】
なお、これまでの説明において、筐体２の上部は開口しており、筐体２内部は、外部に常時開放されているが、この例に限られるものではない。たとえば、筐体２の上部に開閉可能な蓋を設けてもよい。液体バッグ１７を収容する前は、蓋を開放し、収容した後に蓋を閉じることで、効率良く加温することができる。
【００７３】
筐体２の形状は、矩形箱状に限られるものではない。側壁部５は底部４に対して垂直でなくてもよく、傾斜していてもよい。
【００７４】
第２スリット８は側壁部５のうち前側壁部５ｂ以外に形成されてもよい。
液体バッグ１７内の液体は、補液でなく、透析液、血液または経腸栄養剤でもよい。
【００７５】
以上のように本発明の実施の形態について説明を行なったが、今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【符号の説明】
【００７６】
１  加温装置、２  筐体、３  ヒータ、４  底部、５  側壁部、５ａ  左側壁部、５ｂ  前側壁部、５ｃ  右側壁部、５ｄ  後側壁部、６  貫通孔、７  第１スリット、８  第２スリット、９  側壁部上端、１０  側壁部下端、１１  押圧板、１１ａ  押圧板表面、１１ｂ  押圧板裏面、１２  ガイドレール、１３  付勢部、１４ａ  押圧板固定部、１４ｂ  逃げ穴、１５  フック、１６  輸液管、１７  液体バッグ、１８  液体流出部、１９  フック穴、２０  温度センサ、２１  アクチュエータ、１００  血液浄化装置、１５０  補液供給部、１５１  補液、１５２  補液管路。
【図１】
2018023606.tif 000003
【図２】
2018023606.tif 000004
【図３】
2018023606.tif 000005
【図４】
2018023606.tif 000006
【図５】
2018023606.tif 000007
【図６】
2018023606.tif 000008
【図７】
2018023606.tif 000009
【図８】
2018023606.tif 000010
【図９】
2018023606.tif 000011